(57)【要約】【課題】本発明は、脱穀装置の選別部における選別性能を向上させることによって、脱穀装置を小型化することを目的とする。【解決手段】脱穀部５と選別部６とからなる脱穀装置１であって、脱穀部５の受網８下方に揺動選別装置１０を配置し、該揺動選別装置１０の下方に、選別風を送風する唐箕１１と、一番物を搬送する一番コンベア１８と、該一番コンベア１８側へ下がるように傾斜して配置する選別ベルト２０を設けるとともに、該選別ベルト２０の排出側には、セカンドファン２８と二番物回収手段２９と搬送コンベア２５を配置した。【選択図】      図３
2004337092.tif 000002
【特許請求の範囲】
【請求項１】
脱穀部と選別部とからなる脱穀装置であって、脱穀部の受網下方に揺動選別装置を配置し、該揺動選別装置の下方に、選別風を送風する唐箕と、一番物を搬送する一番コンベアと、該一番コンベア側へ下がるように傾斜して配置する選別ベルトを設けるとともに、該選別ベルトの排出側には、セカンドファンと二番物回収手段と搬送コンベアを配置したことを特徴とする脱穀装置。
【請求項２】
前記選別ベルトを正逆転可能な構成としたことを特徴とする請求項１に記載の脱穀装置。
【請求項３】
前記選別ベルトの変速比を無段階に変更可能に構成したことを特徴とする請求項２に記載の脱穀装置。
【発明の詳細な説明】
【０００１】
【発明の属する技術分野】
本発明は、大豆や蕎麦などの穀稈を脱穀する脱穀装置に関する。
【０００２】
【従来の技術】
従来、脱穀部と選別部とからなる汎用コンバインの脱穀装置においては、大豆や蕎麦などの刈取穀稈は脱穀部の扱胴等により搬送されながら脱粒され、扱胴下部周囲に配設された受網から穀粒や莢屑、排稈などの処理物は脱穀部の下方に配設された選別部の揺動選別装置に漏下して選別される。そして、揺動選別装置から落下する処理物のうち、穀粒は一番物として一番コンベアにより搬送されてグレンタンク等に収納され、未脱粒のものや莢屑、排稈などが混じった二番物は唐箕から供給される選別風により揺動選別装置下方の中途位置に配設された流穀板に沿って後方へ搬送されて機外に排出されるように構成されていた（例えば、特許文献１参照。）。
【０００３】
【特許文献１】
特開２００２−１７６８３８号公報
【０００４】
【発明が解決しようとする課題】
しかし、従来の脱穀装置においては、唐箕からの選別風による風選別は、揺動選別装置による揺動選別に比して選別性能が低いため、脱穀部から落下する処理物の選別は主に揺動選別装置で行われていた。そのため、十分な選別性能を得るためには、揺動選別装置を大きくしなければならず、脱穀装置全体が大型化していた。特に、脱穀部において径が一定の扱胴を用いる場合、脱穀装置の処理能力を向上させるためには扱胴の全長を大きくする必要があり、結果、揺動選別装置も大きくせざるをえず、脱穀装置全体が大きなものとなっていた。
そこで本発明は、脱穀装置の選別部における選別性能を向上させることによって、脱穀装置を小型化することを目的とする。
【０００５】
【課題を解決するための手段】
本発明の解決しようとする課題は以上の如くであり、次にこの課題を解決するための手段を説明する。
【０００６】
即ち、請求項１においては、脱穀部と選別部とからなる脱穀装置であって、脱穀部の受網下方に揺動選別装置を配置し、該揺動選別装置の下方に、選別風を送風する唐箕と、一番物を搬送する一番コンベアと、該一番コンベア側へ下がるように傾斜して配置する選別ベルトを設けるとともに、該選別ベルトの排出側には、セカンドファンと二番物回収手段と搬送コンベアを配置したものである。
【０００７】
請求項２においては、前記選別ベルトを正逆転可能な構成としたものである。
【０００８】
請求項３においては、前記選別ベルトの変速比を無段階に変更可能に構成したものである。
【０００９】
【発明の実施の形態】
次に、発明の実施の形態を説明する。
図１は本発明の脱穀装置を主体とした脱穀機の前方斜視図、図２は同じく後方斜視図、図３は脱穀装置の側断面図、図４は本発明の脱穀装置を主体とした別実施例の脱穀機の前方斜視図、図５は脱穀装置の側断面図である。
【００１０】
本発明の脱穀装置１を主体として構成した定置式の脱穀機３０について説明する。
図１乃至図３に示すように、脱穀装置１の機体正面に穀稈の投入口２が設けられ、背面には排出口３が設けられ、側方にはエンジン４が搭載されている。なお、図１における矢印Ａの方向を便宜的に前方向とする。
該脱穀装置１の内部は脱穀部５と選別部６とから構成されており、該脱穀部５に形成された扱室に機体の左右方向に軸架された扱胴７がその一面を投入口２と面するように内設されている。該扱胴７の周囲には扱刃７ａが植設されて脱粒が行われるとともに、扱胴７下部周囲には受網８が設けられて処理物のみ漏下するように構成され、穀粒や莢屑、排稈などの処理物から穀粒が脱穀部５の下方に配置された選別部６で選別され、機体側面に配設された揚穀装置９に搬送される。
【００１１】
前記選別部６においては、揺動選別装置１０による揺動選別と唐箕１１による風選別とが行われる。揺動選別装置１０は機体前後方向に揺動可能に配設され、その前部が扱胴７の下方に配置され、後部が排出口３近傍まで延設されている。該揺動選別装置１０の前部には、穀粒を後方に搬送し易くなるように形成した前流穀板１３が設けられ、該前流穀板１３の後下方には第一選別部であるチャフシーブ１４の前部が配設され、該チャフシーブ１４の下方には後流穀板１５が形成されている。そして、前記後流穀板１５後部には、第二選別部である漏下体１６が連設され、該漏下体１６の後方にはストローラック１７が配設されている。
【００１２】
前記揺動選別装置１０下方の前後途中位置には、左右方向に一番コンベア１８が横設され、該一番コンベア１８の終端部に前記揚穀装置９が連結されている。そして、該一番コンベア１８の後方に選別ベルト２０が配設されている。該選別ベルト２０は、前後両端部に設けたプーリ２１・２１にベルト２２を環状に掛け渡して構成されており、前端部が一番コンベア１８の後上方に配置されている。選別ベルト２０の後端部は揺動選別装置１０の後端部下方であって、セカンドファン２８の選別風出口上方に配置され、該選別ベルト２０が排出口３に向けて後上がりに傾斜した状態で配置されている。なお、選別ベルト２０の傾斜角度を穀粒が自然落下する最低限度の角度として、選別部６の全高を低いものとしている。
【００１３】
該選別ベルト２０は、ベルト２２の上面が排出口３に向かって後方に移動する方向、又は逆に一番コンベア１８に向かって前方に移動する方向に駆動するように正逆転可能に構成され、作物の種類に応じて回転方向を選択できるようにしている。この正逆転機構の構成は限定するものではなく、例えば、操作部に設けたレバーを回動して正転歯車と逆転歯車を選択したり、クラッチを「入」「切」したりすることで正逆転を変更可能としている。また、該選別ベルト２０、すなわち、プーリ２１を駆動する変速比を無段階に変更できるように構成されており、選別時の状況に応じて処理物の搬送速度を操作部に設けた作業変速レバーを回動して調節できるようにしている。この変速比を無段階に変更する構成として割りプーリ式無段変速装置（ＣＶＴ）などを用いることができ、限定するものではない。
【００１４】
さらに、前記選別ベルト２０の後方（排出側）には搬送コンベア２５が配設されている。該搬送コンベア２５は、前後両端部に設けたプーリ２６・２６にベルト２７を環状に架渡して構成されており、前端部が排出口３、つまり、揺動選別装置１０及び選別ベルト２０の後端の下方に配置され、機体後部において搬送コンベア２５の前端のプーリ２６の駆動軸を中心に回動自在に支持され、後端部が機体外後方に延出され、脱穀装置１の使用時には後端部を高くして後上がりに傾斜した状態に配置されて固定される。なお、該搬送コンベア２５は、脱穀装置１の未使用時には、図２に示すように上方に回動されて機体後部に当接した状態で係止部材２４により係止され、収納や移動の邪魔にならないようになっている。また、該搬送コンベア２５は搬送速度を変速できるように構成することもできる。更に、傾斜角度も変更可能に構成することもでき、二番物の選別精度を向上するように構成することもできる。
【００１５】
そして、前記揺動選別装置１０前部の下方位置に唐箕１１が設けられ、該唐箕１１から漏下体１６やチャフシーブ１４、選別ベルト２０に選別風が送風される。さらに、一番コンベア１８後方の選別ベルト２０の下方にもセカンドファン２８が配設され、該セカンドファン２８から選別ベルト２０後端下方と搬送コンベア２５の前端上方の間に選別風が送風され、揺動選別装置１０及び選別ベルト２０後端から落下する未脱粒のものや莢屑、排稈などが混じった二番物を風選別できるようにしている。
【００１６】
このような構成において、投入口２から脱穀部５内に投入された穀稈は、扱胴７の回転によって脱穀され、処理物となって受網８から漏下する。このように漏下した処理物は揺動選別装置１０により揺動選別されて、選別ベルト２０上に落下する。
ここで、穀粒が大豆などのように球形状である場合、選別ベルト２０はベルト２２の上面が排出口３に向かって後方に移動するように駆動される。したがって、選別ベルト２０上へ落下した処理物のうち、転動し易い穀粒は自然落下でベルト２２上を流下して、該選別ベルト２０前方に設けられた一番コンベア１８に落下して回収される。そして、一番コンベア１８に回収された一番物である穀粒は、該一番コンベア１８によって揚穀装置９下部に搬送された後、揚穀装置で上方へ搬送され、機体側方に配設された取出口から適宜機体外部へ取り出されて回収される。
【００１７】
そして、前記処理物のうち、ベルト２２上において転動し難い未脱粒のものや重量の軽い莢屑などが混じった二番物は、選別ベルト２０と唐箕１１から送風される選別風とにより後上方へ搬送され、該選別ベルト２０後方に設けられた排出口３から機体外部へ排出される。そして、これらの排出物は該排出口３の下方位置に前端部を臨ませた搬送コンベア２５のベルト２７上へ落下する。この際、該ベルト２７は、その上面が後方に向けて移動するように駆動されている。したがって、該ベルト２７上へ落下した排出物のうち、重量の大きい未脱粒のものはその自重により搬送コンベア２５の前（始端側）下方に配置した二番物回収手段となる回収容器２９へ流下して回収される。また、ベルト２７上において重量の軽い莢屑や排稈などは、セカンドファン２８から送風される選別風と搬送コンベア２５とにより後上方に搬送され、機体後方へ放出される。
【００１８】
一方、穀粒が蕎麦などのように球形状でない場合、穀粒はベルト２２上を転動し難く自然落下ではあまり流下しない。そこで、穀粒を一番コンベア１８に強制的に搬送するために、ベルト２２はその上面が一番コンベア１８に向かって前方に移動するように駆動される。したがって、ベルト２２上に落下した処理物のうち、重量の大きい穀粒は選別ベルト２０により前下方に搬送され、該選別ベルト２０前方に設けられた一番コンベア１８に落下して回収される。そして、一番コンベア１８に回収された一番物である穀粒は、該一番コンベア１８によって揚穀装置９下部に搬送された後、揚穀装置９で上方へ搬送され、機体側方に配設された取出口２３から適宜機体外部へ取り出されて回収される。
【００１９】
そして、前記処理物のうち、ベルト２２上において未脱粒のものや重量の軽い排稈などが混じった二番物は、唐箕１１から送風される選別風により後上方へ搬送され、該選別ベルト２０後方に設けられた排出口３から機体外部へ排出される。そして、これらの排出物は該排出口３の下方位置に前端部を臨ませた搬送コンベア２５のベルト２７上へ落下する。この際、該ベルト２７は、その上面が後方に向けて移動するように駆動されている。したがって、該ベルト２７上へ落下した排出物のうち、重量の大きい未脱粒のものはその自重により搬送コンベア２５の前下方に配置した容器２９に流下して回収される。また、ベルト２７上において重量の軽い排稈などは、セカンドファン２８から送風される選別風と搬送コンベア２５とにより後上方に搬送され、機体後方へ放出される。
【００２０】
以上のように、脱穀装置１の選別部６において、脱穀部５の受網８から漏下する処理物を受けて揺動選別する揺動選別装置１０下方の前後中央位置に選別ベルト２０を設け、該選別ベルト２０により揺動選別装置１０から落下する処理物を搬送可能としたので、選別部６における選別性能が向上する。よって、揺動選別装置１０を従来に比して小型化でき、脱穀装置１全体をコンパクトに構成できる。結果、該脱穀装置をコンバインや刈取部を有しない脱穀機などのさまざまな大きさの機械に適用することが可能となる。
また、該選別ベルト２０を正逆転可能な構成としたので、大豆などの球形状の穀類だけでなく、蕎麦などの球形状でない穀類の選別性能も向上する。
さらに、選別ベルト２０を無段階に変速可能な構成としたので、選別時の状況に応じて処理物の搬送速度を調節でき、選別性能の向上を図ることができる。
【００２１】
なお、本発明の脱穀装置の適用形態は特に限定するものではなく、例えば、図４、図５に示すように、機体をクローラ式走行装置４１に戴置して構成した自走式の脱穀機３９を脱穀装置４０を主体として構成することもできる。この場合、脱穀装置４０を構成する脱穀部４２と選別部４３のうち、選別部４３を上記実施例の選別部６と同様に揺動選別装置４４や選別ベルト４５、唐箕４６、一番コンベア４７、セカンドファン４８、搬送コンベア４９などを備えて構成する一方、該選別部４２の上方に扱胴５０を機体前後方向に軸架して脱穀部４２を構成し、該扱胴５０の一面と面するように投入口５１を機体側面に設け、機体背面に排出口５２を設けて脱穀装置４０は構成される。なお、図４における矢印Ｂの方向を便宜的に前方向とする。
【００２２】
【発明の効果】
本発明は、以上のように構成したので、以下に示すような効果を奏する。
【００２３】
即ち、請求項１に示す如く、脱穀部と選別部とからなる脱穀装置であって、脱穀部の受網下方に揺動選別装置を配置し、該揺動選別装置の下方に、選別風を送風する唐箕と、一番物を搬送する一番コンベアと、該一番コンベア側へ下がるように傾斜して配置する選別ベルトを設けるとともに、該選別ベルトの排出側には、セカンドファンと二番物回収手段と搬送コンベアを配置したので、揺動選別装置から落下する処理物を選別ベルトにより搬送可能となり、選別部における選別性能が向上する。よって、揺動選別装置を従来に比して小型化でき、脱穀装置全体をコンパクトに構成できる。結果、該脱穀装置をコンバインや刈取部を有しない脱穀機などのさまざまな大きさの機械に適用することが可能となる。
【００２４】
請求項２に示す如く、前記選別ベルトを正逆転可能な構成としたので、大豆などの球形状の穀類だけでなく、蕎麦などの球形状でない穀類の選別性能も向上する。
【００２５】
請求項３に示す如く、前記選別ベルトの変速比を無段階に変更可能に構成したので、選別時の状況に応じて処理物の搬送速度を調節でき、選別性能の向上を図ることができる。
【図面の簡単な説明】
【図１】本発明の脱穀装置を主体とした脱穀機の前方斜視図。
【図２】同じく後方斜視図。
【図３】脱穀装置の側断面図。
【図４】本発明の脱穀装置を主体とした別実施例の脱穀機の前方斜視図。
【図５】脱穀装置の側断面図。
【符号の説明】
１  脱穀装置
５  脱穀部
６  選別部
８  受網
１０  揺動選別装置
１１  唐箕
１８  一番コンベア
２０  選別ベルト
２５  搬送コンベア
２８  セカンドファン
２９  回収容器
【図１】
2004337092.tif 000003
【図２】
2004337092.tif 000004
【図３】
2004337092.tif 000005
【図４】
2004337092.tif 000006
【図５】
2004337092.tif 000007